(57)【要約】【課題】スピーカが上下方向へ放音する場合であっても、スピーカの上下振動による異音の発生を防止することができるスピーカの固定構造及び該固定構造を備える表示装置を提供する。【解決手段】スピーカ２０に設けた連結部２３に上下に貫通した貫通孔２３ａを設け、該貫通孔２３ａにゴムブッシュ２４を内嵌し、該ゴムブッシュ２４を介してスピーカ２０を突出部４ａａに固定する。ゴムブッシュ２４は上下方向を軸方向としているため、スピーカ２０の上下振動を効率良く吸収し、スピーカ２０の上下振動によって前キャビネット４ａ又は後キャビネット４ｂから異音が発生することを防止することができる。【選択図】図５
2011035554.tif 000002
【特許請求の範囲】
【請求項１】
筐体の内部にて前方又は後方に突出した突出部にスピーカを固定する固定構造において、
上下に貫通した貫通孔を有し、前記突出部に連結させるために前記スピーカに設けた連結部と、
前記貫通孔に嵌合した弾性部材と、
該弾性部材を介して上側から前記貫通孔に係合しており、前記貫通孔よりも上側にて前後に貫通した嵌合孔を有する嵌合部とを備え、
前記嵌合孔に前記突出部を嵌合させてあること
を特徴とする固定構造。
【請求項２】
前記嵌合孔に嵌合した弾性部材を備えることを特徴とする請求項１に記載の固定構造。
【請求項３】
前記スピーカは、上側又は下側に放音するように前記筐体内に配置してあることを特徴とする請求項１又は２に記載の固定構造。
【請求項４】
請求項１から３のいずれか一つに記載の固定構造と、
該固定構造によって前記筐体内に固定されたスピーカと、
前記筐体に収容された映像表示部と
を備えることを特徴とする表示装置。
【発明の詳細な説明】
【技術分野】
【０００１】
本発明は筐体内にスピーカを固定する固定構造及び該固定構造を備える表示装置に関する。
【背景技術】
【０００２】
表示画面の大きさに比べて室内の占有面積が小さい液晶表示装置は、限られた室内空間を有効に利用することができることから、一般に広く普及している。液晶表示装置は、前キャビネットの内側に配置された映像を表示する液晶表示パネルに、後キャビネットに収容してある光源から光を照射して、映像を表示するように構成されている。
【０００３】
また前キャビネットの下部には、前方へ放音するようにスピーカが設けてあり、ユーザが映像と音とを確実に視聴することができるようにしてある（例えば特許文献１参照）。スピーカには、前後に貫通した貫通孔を有する取付板が設けてある。貫通孔には、前後方向を軸方向としてゴムブッシュが取り付けてある。前キャビネットから後方に突出した突出部がゴムブッシュを介して貫通孔に嵌合しており、スピーカの放音による前後方向の振動はゴムブッシュにて吸収される。
【０００４】
近年、前キャビネット正面の額縁を狭くし表示装置の外観意匠性を向上させることが要望されており、該要望に応えるためには、スピーカのコーンを下向きに配設し、従来前キャビネットの前面に設けていた放音のための孔を前キャビネットの下面に設ける必要がある。
【先行技術文献】
【特許文献】
【０００５】
【特許文献１】特開２００４−１８７２７１号公報
【発明の概要】
【発明が解決しようとする課題】
【０００６】
しかしコーンを下向きに配設したスピーカは上下に振動するため、前後方向を軸方向としたゴムブッシュでは上下の振動を充分に吸収することができない。その結果、スピーカの上下振動が前キャビネット及び後キャビネットに伝播し、軋み音などの異音が発生する。
【０００７】
本発明は斯かる事情に鑑みてなされたものであり、スピーカが上下方向へ放音する場合であっても、異音の発生を防止することができるスピーカの固定構造及び該固定構造を備える表示装置を提供することを目的とする。
【課題を解決するための手段】
【０００８】
本発明に係る固定構造は、筐体の内部にて前方又は後方に突出した突出部にスピーカを固定する固定構造において、上下に貫通した貫通孔を有し、前記突出部に連結させるために前記スピーカに設けた連結部と、前記貫通孔に嵌合した弾性部材と、該弾性部材を介して上側から前記貫通孔に係合しており、前記貫通孔よりも上側にて前後に貫通した嵌合孔を有する嵌合部とを備え、前記嵌合孔に前記突出部を嵌合させてあることを特徴とする。
【０００９】
本発明にあっては、スピーカに設けた連結部に上下に貫通した貫通孔を設け、該貫通孔に弾性部材を嵌合させて、該弾性部材を介してスピーカを前記突出部に固定し、スピーカの上下振動を効率良く吸収する。
【００１０】
本発明に係る固定構造は、前記嵌合孔に嵌合した弾性部材を備えることを特徴とする。
【００１１】
本発明にあっては、嵌合孔に嵌合した弾性部材によって、スピーカの上下振動を更に吸収する。
【００１２】
本発明に係る固定構造は、前記スピーカは、上側又は下側に放音するように前記筐体内に配置してあることを特徴とする。
【００１３】
本発明にあっては、前記スピーカが上側又は下側に放音することで、筐体の正面に放音のための孔を設けることを回避する。
【００１４】
本発明に係る表示装置は、前述したいずれか一つの固定構造と、該固定構造によって前記筐体内に固定されたスピーカと、前記筐体に収容された映像表示部とを備えることを特徴とする。
【００１５】
本発明にあっては、スピーカの上下振動を確実に吸収し、映像表示部に表示された映像と共にスピーカからの音をユーザが快適に視聴する。
【発明の効果】
【００１６】
本発明に係る固定構造にあっては、スピーカに設けた連結部に上下に貫通した貫通孔を設け、該貫通孔に弾性部材を嵌合させて、該弾性部材を介してスピーカを前記突出部に固定して、スピーカの上下振動を効率良く吸収するので、スピーカの上下振動によって筐体から異音が発生することを防止することができる。
【００１７】
また本発明に係る表示装置にあっては、スピーカの上下振動が弾性部材によって確実に吸収され、映像表示部を収容する筐体に上下振動が伝播せず、映像表示部に表示された映像と共にスピーカからの音をユーザが快適に視聴することができる。
【図面の簡単な説明】
【００１８】
【図１】実施の形態１に係る固定構造を備える表示装置を略示する縦断面図である。
【図２】前側から見た前キャビネット及びスピーカを略示する斜視図である。
【図３】後側から見た前キャビネット及びスピーカを略示する斜視図である。
【図４】スピーカ及び嵌合部を略示する斜視図である。
【図５】図２におけるＶ−Ｖ線での略示縦断面図である。
【図６】実施の形態１に係る固定構造及び該固定構造を備える表示装置の変形例のスピーカ及び嵌合部を略示する斜視図である。
【図７】実施の形態２に係る固定構造を備えた表示装置における前側から見た前キャビネット及びスピーカを略示する斜視図である。
【図８】後側から見た前キャビネット及びスピーカを略示する斜視図である。
【図９】スピーカ及び嵌合部を略示する斜視図である。
【図１０】図７におけるＸ−Ｘ線での略示縦断面図である。
【図１１】実施の形態２に係る固定構造及び該固定構造を備える表示装置の変形例のスピーカ及び嵌合部を略示する斜視図である。
【発明を実施するための形態】
【００１９】
（実施の形態１）
以下本発明を実施の形態１に係る固定構造及び該固定構造を備える表示装置を示す図面に基づいて詳述する。図１は表示装置を略示する縦断面図である。
【００２０】
図において１は液晶を備える矩形の表示パネル（映像表示部）であり、該表示パネル１は、液晶への印加電圧を制御して光の透過率を調整し、映像を表示するように構成されている。表示パネル１は、前保持枠体２と後保持枠体３とによって、その周縁部が挟持されており、筐体４に収容されている。筐体４は矩形枠状の前キャビネット４ａと前側が開放された深皿形の後キャビネット４ｂとを備えている。該前キャビネット４ａは前保持枠体２及び後保持枠体３の周囲に配置されている。前キャビネット４ａは矩形の開口を備えており、該開口の寸法は表示パネル１に対応した寸法となっている。表示パネル１の後側には、後述するＬＥＤ９の光を表示パネル１へ向けて集光する複数の光学シート５が設けてある。
【００２１】
該光学シート５の後側にはＬＥＤ９の光を均一に拡散する拡散板６が設けてある。該拡散板６は、深皿形の支持板７の縁部分にて支持されている。支持板７の前面には複数の基板８が並設してあり、該基板８の後面には、熱伝導性物質、例えば金属からなる膜状の放熱パターン（図示せず）が形成してある。
【００２２】
該基板８の前面には複数のＬＥＤ９、９、・・・、９が実装されており、各ＬＥＤ９、９、・・・、９の前側に、光を拡散させるレンズ１０、１０、・・・、１０がそれぞれ配置してある。該レンズ１０の周縁部には基板８側に突出した三つの突起１０ａ、１０ａ、１０ａが周方向に並設してあり、該突起１０ａの先端が基板８の前面に接着剤によって固着している。
【００２３】
前記支持板７の前面の左右に支持台（図示せず）が各別に設けてあり、深皿型の反射シート１１の左右縁部が前記支持台にて支持されている。反射シート１１の底面には、前記レンズ１０、１０、・・・、１０を挿通する複数の挿通孔１１ａ、１１ａ、・・・、１１ａが開設してある。各レンズ１０は挿通孔１１ａを通って前側へ突出している。
【００２４】
支持板７の後側には深皿形の後キャビネット４ｂが設けてある。該後キャビネット４ｂの縦及び横寸法と前キャビネット４ａの縦及び横寸法は略同じであり、後キャビネット４ｂの縁部分と前キャビネット４ａの縁部分とは互いに対向する。前キャビネット４ａ及び後キャビネット４ｂの縁部分には、図示しない係合凸部及び係合凹部がそれぞれ設けてあり、該係合凸部及び係合凹部を係合させて、前キャビネット４ａを後キャビネット４ｂに固定している。なお後キャビネット４ｂには制御基板（図示せず）が収容してあり、該制御基板からの出力信号に基づいて、ＬＥＤ９及び表示パネル１が駆動するようにしてある。また後キャビネット４ｂの下面には後述するスピーカからの音を放出する放音孔（図示せず）が設けてある。
【００２５】
図２は前側から見た前キャビネット４ａ及びスピーカを略示する斜視図、図３は後側から見た前キャビネット４ａ及びスピーカを略示する斜視図、図４はスピーカ及び嵌合部を略示する斜視図、図５は図２におけるＶ−Ｖ線での略示縦断面図である。なお図５において後キャビネット４ｂを追記してある。
【００２６】
図３に示すように、前キャビネット４ａの下部内側には、後側に突出した円筒状の二つの突出部４ａａ、４ａａが左右に並設してある。図５に示すように、突出部４ａａの先端部の外径は基端部の外径よりも短くなっている。該突出部４ａａにはスピーカ２０が固定してある。
【００２７】
図４に示すように、スピーカ２０は左右に長い直方体状の収容箱２１を備えており、該収容箱２１に振動板としてのコーン２２が収容してある。収容箱２１の下面には開口２１ａが設けてあり、該開口２１ａに、コーン２２の拡径した部分が対面している。なお開口２１ａは前述した放音孔に対面している。収容箱２１の左右の側面に、上下方向に直交する面に略平行な矩形板状の連結部２３、２３がそれぞれ一体に設けてある。該連結部２３には上下に貫通した二つの貫通孔２３ａ、２３ａが並設してあり、該貫通孔２３ａ、２３ａには筒状のゴムブッシュ（弾性部材）２４、２４が内嵌してある。ゴムブッシュ２４は貫通孔２３ａから上下に延出しており、延出したゴムブッシュ２４の上下端部は鍔状になっている。そのため鍔状になった部分は貫通孔２３ａの上下の周縁部を覆っている（図５参照）。
【００２８】
各連結部２３、２３には嵌合部３０、３０がそれぞれ連結している。該嵌合部３０は、前後に長い矩形板状の基台部３１と、該基台部３１の長手方向両端部から下側に突出した円筒状の二つのボス部３２、３２と、基台部３１の上側に設けてあり、前後方向を軸方向とした筒部３３とを備える。
【００２９】
基台部３１の前後及び左右寸法は前記連結部２３の前後及び左右寸法と略等しい。ボス部３２は円筒状をなしており、前記貫通孔２３ａに位置が整合している。ボス部３２の外径はゴムブッシュ２４の内径に略等しく、ボス部３２はゴムブッシュ２４に上側から内嵌し、密着している。ボス部３２の軸方向の寸法とゴムブッシュ２４の軸方向の寸法とは略等しく、ボス部３２の下端面とゴムブッシュ２４の下端面とは略同一面状にある。
【００３０】
座金付きのねじ２５、２５が下側からボス部３２、３２に螺合している。ねじ２５の座金部分の直径はボス部３２の外径よりも長く、ゴムブッシュ２４の鍔部分の外径よりも短い。前述したようにボス部３２の下端面とゴムブッシュ２４の下端面とは略同一面状にあるので、ねじ２５の座金部分は、強圧することなくゴムブッシュ２４を保持している。そのためゴムブッシュ２４は上下方向の振動を充分に吸収することができる。
【００３１】
前記突出部４ａａの先端部は前記筒部３３に内嵌している（以下突出部４ａａの先端部が内嵌した筒部３３の内側を嵌合孔３３ａという）。前記筒部３３の軸方向中央部分は補強のために上下に延出しており、下側に延出した部分が基台部３１の中央部に連なっている。嵌合孔３３ａの直径は突出部４ａａの先端部の外径と略同径である。嵌合孔３３ａの軸方向の寸法は、突出部４ａａの先端部の軸方向の寸法に略等しく、突出部４ａａの先端面と筒部３３の後端面とは略同一面状に位置する。突出部４ａａの先端部には座金付きのねじ３５が螺合している。該ねじ３５の座金部分の直径は筒部３３の外径よりも長く、ねじ３５の座金部分と突出部４ａａの基端部との間に筒部３３が挟持され、スピーカ２０が突出部４ａａに固定されている。
【００３２】
実施の形態１に係る固定構造及び該固定構造を備える表示装置にあっては、スピーカ２０に設けた連結部２３に上下に貫通した貫通孔２３ａを設け、該貫通孔２３ａにゴムブッシュ２４を内嵌し、該ゴムブッシュ２４を介してスピーカ２０を突出部４ａａに固定している。ゴムブッシュ２４は上下方向を軸方向としているため、スピーカ２０の上下振動を効率良く吸収し、スピーカ２０の上下振動によって前キャビネット４ａ又は後キャビネット４ｂから異音が発生することを防止することができる。
【００３３】
実験結果によれば、前後方向を軸方向としたゴムブッシュ２４を使用している場合（従来技術の場合）には、２８．２[Ｈｚ]の周波数で放音しているときにスピーカ２０の振動幅は最大になり、最大の振動幅は０．１６８[ｍｍ]である。一方上下方向を軸方向としたゴムブッシュ２４を使用している場合（実施の形態１の場合）には、３９．２[Ｈｚ]の周波数で放音しているときにスピーカ２０の振動幅は最大になり、最大の振動幅は０．０７７[ｍｍ]である。すなわち最大振動幅は従来技術に比べて１／２以下になった。
【００３４】
また前記スピーカ２０が下側に放音するので、放音孔は後キャビネット４ｂの下面に設けられ、前キャビネット４ａの額縁を狭くして、表示装置の外嵌意匠性を向上させることができる。
【００３５】
またスピーカ２０の上下振動を確実に吸収し、異音が発生しないので、表示パネル１に表示された映像と共にスピーカ２０からの音をユーザが快適に視聴することができる。
【００３６】
次に実施の形態１に係る固定構造及び該固定構造を備える表示装置の変形例について説明する。図６は変形例のスピーカ２０及び嵌合部３０を略示する斜視図である。図６に示すように、筒部３３は、前後に長い矩形板状の基台部３１の長手方向に沿う外側面に設けてある。筒部３３の嵌合孔３３ａには突出部４ａａが内嵌しており、スピーカ２０は前キャビネット４ａに固定されている。なお突出部４ａａと嵌合孔３３ａとの位置が整合するように、筒部３３が配置してあることは言うまでもない。
【００３７】
なお実施の形態１に係る固定構造及び該固定構造を備える表示装置並びにその変形例において、突出部４ａａを前キャビネット４ａの上部に設けて、スピーカ２０のコーン２２を上側に向け、突出部４ａａにスピーカ２０を固定しても良い。この場合後キャビネット４ｂの上面の内、コーン２２に対応する位置に放音孔が設けられることは言うまでもない。また実施の形態１に係る固定構造及び該固定構造を備える表示装置並びにその変形例は、光源としてＬＥＤ９を使用しているが、ＬＤ（Laser Diode）、ＥＬ（Electro Luminescence）、または蛍光管などを光源として使用しても良い。
【００３８】
また実施の形態１に係る固定構造及び該固定構造を備える表示装置並びにその変形例にあっては、前キャビネット４ａから後側へ突出部４ａａが突出しているが、後キャビネット４ｂから前側へ突出部が突出し、該突出部にスピーカ２０が固定される構成であっても良い。また座金付きのねじ２５を使用してゴムブッシュ２４を保持しているが、各別の座金とねじとを使用してゴムブッシュ２４を保持しても良い。また座金付きのねじ３５を使用して筒部３３を突出部４ａａの基端部との間で挟持しているが、各別の座金とねじとを使用して筒部３３を突出部４ａａの基端部との間で挟持しても良い。
【００３９】
（実施の形態２）
以下本発明を実施の形態２に係る固定構造及び該固定構造を備える表示装置を示す図面に基づいて詳述する。図７は前側から見た前キャビネット４ａ及びスピーカ２０を略示する斜視図、図８は後側から見た前キャビネット４ａ及びスピーカ２０を略示する斜視図、図９はスピーカ２０及び嵌合部３０を略示する斜視図、図１０は図７におけるＸ−Ｘ線での略示縦断面図である。なお図１０において後キャビネット４ｂを追記してある。
【００４０】
基台部３１の上側に、前後方向を軸方向とした筒部３４が設けてある。該筒部３４の軸方向中央部分は補強のために下側に延出しており、下側に延出した部分は基台部３１の中央部に連なっている。筒部３４の内側（嵌合孔３４ａ）において、軸方向中央部分は内方へ突出している。嵌合孔３４ａには筒状のゴムブッシュ３６が内嵌している。該ゴムブッシュ３６の軸方向の寸法は筒部３４の軸方向の寸法よりも若干長くなっている。ゴムブッシュ３６の軸方向両端部はそれぞれ鍔状になっている。該鍔状になった部分は、内方へ突出した筒部３４の中央部分を挟んでいる。
【００４１】
突出部４ａａの先端部がゴムブッシュ３６に内嵌している。突出部４ａａの先端部の外径はゴムブッシュ３６の内径と略同じであり、ゴムブッシュ３６は突出部４ａａの先端部に密着している。また突出部４ａａの先端部の軸方向の寸法はゴムブッシュ３６の軸方向の寸法と略同じであり、突出部４ａａの先端面とゴムブッシュ３６の後端面とは略同一面上に位置している。突出部４ａａの先端部には、座金付きのねじ３５が螺合している。該ねじ３５の座金部分の直径は、突出部４ａａの先端部の外径よりも長く、ゴムブッシュ３６の鍔部分の外径よりも短い。ねじ３５は突出部４ａａの基端部との間でゴムブッシュ３６を押圧しており、ゴムブッシュ３６を介して筒部３４が突出部４ａａに固定されている。
【００４２】
実施の形態２に係る固定構造及び該固定構造を備える表示装置にあっては、嵌合孔３４ａに内嵌されたゴムブッシュ３６によって、スピーカ２０の上下振動が更に吸収されるので、スピーカ２０の上下振動によって前キャビネット４ａ又は後キャビネット４ｂから異音が発生することを確実に防止することができる。実験結果によれば、前後方向を軸方向としたゴムブッシュ３６及び上下方向を軸方向としたゴムブッシュ２４を使用している場合（実施の形態２の場合）には、３９．２[Ｈｚ]の周波数で放音しているときにスピーカ２０の振動幅は最大になり、最大の振動幅は０．０２６[ｍｍ]である。前述したように実施の形態１の場合には、最大の振動幅は０．０７７[ｍｍ]であり、最大振動幅は実施の形態１の場合に比べて約１／３になった。
【００４３】
次に実施の形態２に係る固定構造及び該固定構造を備える表示装置の変形例について説明する。図１１は変形例のスピーカ２０及び嵌合部３０を略示する斜視図である。図１１に示すように、筒部３４は、前後に長い矩形板状の基台部３１の長手方向に沿う外側面に設けてある。筒部３４の嵌合孔３４ａには突出部４ａａが内嵌しており、スピーカ２０は前キャビネット４ａに固定されている。なお突出部４ａａと嵌合孔３４ａとの位置が整合するように、筒部３４が配置してあることは言うまでもない。
【００４４】
実施の形態２に係る固定構造及び該固定構造を備える表示装置並びにその変形例においては、座金付きのねじ３５を使用してゴムブッシュ３６を押圧しているが、各別の座金とねじとを使用してゴムブッシュ３６を押圧しても良い。
【００４５】
実施の形態２に係る固定構造及び該固定構造を備える表示装置並びにその変形例に係る構成の内、実施の形態１に係る固定構造及び該固定構造を備える表示装置並びにその変形例と同様な構成については同じ符号を付し、その詳細な説明を省略する。
【００４６】
なお以上の実施の形態は本発明の一例であって、本発明は特許請求の範囲に記載した事項の範囲内において種々変更した形態にて実施することが可能であることは言うまでもない。
【符号の説明】
【００４７】
１  表示パネル（映像表示部）
４  キャビネット（筐体）
４ａ  前キャビネット
４ｂ  後キャビネット
４ａａ  突出部
２０  スピーカ
２３  連結部
２３ａ  貫通孔
２４、３６  ゴムブッシュ（弾性部材）
３０嵌合部
３１  基台部
３２  ボス部
３３  筒部
３３ａ、３４ａ  嵌合孔
【図１】
2011035554.tif 000003
【図２】
2011035554.tif 000004
【図３】
2011035554.tif 000005
【図４】
2011035554.tif 000006
【図５】
2011035554.tif 000007
【図６】
2011035554.tif 000008
【図７】
2011035554.tif 000009
【図８】
2011035554.tif 000010
【図９】
2011035554.tif 000011
【図１０】
2011035554.tif 000012
【図１１】
2011035554.tif 000013